(57)【特許請求の範囲】
【請求項１】
光の出射面に平行な面内で光を導く導光板と、
前記導光板に対して前記出射面とは反対側に設けられ、前記出射面とは反対側の背面及び前記出射面を通過する光によって、前記出射面側に位置する物体を検出するためのセンサと
を備え、
前記導光板は、
前記導光板によって導かれている光が入射し、空間上の１つの収束点又は収束線に実質的に収束する又は空間上の１つの収束点又は収束線から実質的に発散する方向の出射光を前記出射面から出射させる光学面をそれぞれ有する複数の光収束部
を有し、
前記複数の光収束部のそれぞれは、前記出射面とは反対側の面に、前記導光板が光を導く方向に直交する方向に略平行な直線に沿って実質的に連続的に形成されており、
前記収束点又は収束線は前記複数の光収束部の間で互いに異なり、複数の前記収束点又は収束線の集まりによって、前記出射面側の空間上に像が形成される
光デバイス。
【請求項２】
前記複数の光収束部は、前記出射面側の空間上において前記センサが物体を検出可能な検出範囲内及び前記検出範囲の近傍の少なくとも一方に、ユーザ操作を受け付ける位置を示す前記像を形成する
請求項１に記載の光デバイス。
【請求項３】
前記センサは、
前記出射面側の空間上の位置からの光を、前記出射面及び前記背面を通じて受光する受光部
を有する請求項１又は２に記載の光デバイス。
【請求項４】
前記センサは、
前記出射面側の空間に、前記出射面及び前記背面を通じて光を投射する投光部
を更に備え、
前記投光部から前記出射面側の空間に投射された光の光路内の予め定められた範囲内に前記物体が存在する場合に、前記受光部は、前記投光部から投射されて前記物体で反射した反射光を受光する
請求項３に記載の光デバイス。
【請求項５】
前記複数の光収束部は、前記出射面側の空間上の前記予め定められた範囲内及び前記予め定められた範囲の近傍の少なくとも一方に、ユーザ操作を受け付ける位置を示す前記像を形成する
請求項４に記載の光デバイス。
【請求項６】
前記導光板の前記出射面側に前記複数の光収束部に対応する位置に設けられ、前記導光板に導かれて前記出射面から出射した、対応する光収束部からの光の広がりをそれぞれ制限する複数のシリンドリカルレンズ
を更に備える請求項１から５のいずれか１項に記載の光デバイス。
【請求項７】
前記センサは、前記出射面に直交し、かつ、前記複数のシリンドリカルレンズの延伸方向に平行な面に沿う光によって、前記物体を検出する
請求項６に記載の光デバイス。
【請求項８】
前記複数のシリンドリカルレンズは、前記導光板が光を導く方向に直交する方向に沿って延伸する
請求項６又は７に記載の光デバイス。
【請求項９】
前記複数のシリンドリカルレンズは、前記導光板が光を導く方向に沿って延伸する
請求項６又は７に記載の光デバイス。
【請求項１０】
請求項２又は５に記載の光デバイスと、
前記センサによって前記出射面側に位置する物体が検出された場合に、前記物体が前記ユーザ操作を受け付ける位置にあると判断する判断部と
を備える操作入力装置。
【発明の詳細な説明】
【技術分野】
【０００１】
本発明は、光デバイス及び操作入力装置に関する。
【背景技術】
【０００２】
導光板と、光源と、導光板の表面側に配置した、パララックスバリア方式又はレンズアレイ方式におけるマスク又はレンズアレイとを備えた、立体視可能な表示装置が知られている（例えば、特許文献１参照。）。また、立体像を含む２次元画像を表示する平面状の画像表示面を有する表示部と、画像表示面に平行に離間して配置され、複数のレンズからなりかつ２次元画像の中の立体像よりも広い有効面積を有するマイクロレンズアレイ及びマイクロレンズアレイの有効領域を囲むレンズ枠領域からなり、マイクロレンズアレイの表示部とは反対側に位置する空間に２次元画像の実像を表示する結像面を生成する画像伝達パネルと、からなる立体的２次元画像表示装置が知られている（例えば、特許文献２参照。）。
特許文献１  特開２０１２−００８４６４号公報
特許文献２  特開２００１−２５５４９３号公報
【発明の概要】
【発明が解決しようとする課題】
【０００３】
マスク又はレンズアレイを用いると、物体を検出する光学センサを導光板の出射面の反対側の背面に設けることが困難な場合がある。例えばマスクを用いる場合、物体を検出するための検出光がマスクによって実質的に遮られてしまう場合がある。また、例えばレンズアレイを用いる場合、レンズアレイによって検出光が大きく拡散してしまう場合がある。
【課題を解決するための手段】
【０００４】
第１の形態においては、光デバイスは、光の出射面に平行な面内で光を導く導光板と、導光板に対して出射面とは反対側に設けられ、出射面とは反対側の背面及び出射面を通過する光によって、出射面側に位置する物体を検出するためのセンサとを備え、導光板は、導光板によって導かれている光が入射し、空間上の１つの収束点又は収束線に実質的に収束する又は空間上の１つの収束点又は収束線から実質的に発散する方向の出射光を出射面から出射させる光学面をそれぞれ有する複数の光収束部を有し、収束点又は収束線は複数の光収束部の間で互いに異なり、複数の収束点又は収束線の集まりによって、出射面側の空間上に像が形成される。
【０００５】
複数の光収束部は、出射面に平行な面内でそれぞれ予め定められた線に沿って形成されていてよい。
【０００６】
複数の光収束部は、出射面側の空間上においてセンサが物体を検出可能な検出範囲内及び検出範囲の近傍の少なくとも一方に、ユーザ操作を受け付ける位置を示す像を形成してよい。
【０００７】
センサは、出射面側の空間上の位置からの光を、出射面及び背面を通じて受光する受光部を有してよい。
【０００８】
センサは、出射面側の空間に、出射面及び背面を通じて光を投射する投光部を更に備えてよい。投光部から出射面側の空間に投射された光の光路内の予め定められた範囲内に物体が存在する場合に、受光部は、投光部から投射されて物体で反射した反射光を受光してよい。
【０００９】
複数の光収束部は、出射面側の空間上の予め定められた範囲内及び予め定められた範囲の近傍の少なくとも一方に、ユーザ操作を受け付ける位置を示す像を形成してよい。
【００１０】
導光板の出射面側に複数の光収束部に対応する位置に設けられ、導光板に導かれて出射面から出射した、対応する光収束部からの光の広がりをそれぞれ制限する複数のシリンドリカルレンズを更に備えてよい。
【００１１】
センサは、出射面に直交し、かつ、複数のシリンドリカルレンズの延伸方向に平行な面に沿う光によって、物体を検出してよい。
【００１２】
複数のシリンドリカルレンズは、導光板が光を導く方向に直交する方向に沿って延伸してよい。
【００１３】
複数のシリンドリカルレンズは、導光板が光を導く方向に沿って延伸してよい。
【００１４】
第２の形態において、操作入力装置は、上記の光デバイスと、センサによって出射面側に位置する物体が検出された場合に、物体がユーザ操作を受け付ける位置にあると判断する判断部とを備える。
【００１５】
なお、上記の発明の概要は、本発明の特徴の全てを列挙したものではない。また、これらの特徴群のサブコンビネーションもまた、発明となりうる。
【図面の簡単な説明】
【００１６】
【図１】一実施形態における操作入力装置２０を、空間上に投影される立体像と共に概略的に示す。
【図２】操作入力装置２０のｙｚ平面の断面を概略的に示す。
【図３】操作入力装置２０のｘｚ平面の断面を概略的に示す。
【図４】操作入力装置２０の変形例としての操作入力装置３２０を概略的に示す。
【図５】操作入力装置２０の変形例としての操作入力装置４２０を概略的に示す。
【図６】操作入力装置２０の変形例としての操作入力装置６２０を概略的に示す。
【図７】操作入力装置２０の変形例としての操作入力装置７２０を概略的に示す。
【図８】光収束部３０の変形例としての光収束部１３０及び光収束部１３２を概略的に示す。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
図１は、一実施形態における操作入力装置２０を、空間上に投影される立体像と共に概略的に示す。操作入力装置２０は、表示装置１０と、センサ６０と、制御部８０とを有する。操作入力装置２０は、バーチャルスイッチとして機能する。なお、分かり易く説明することを目的として、実施形態の説明に用いる図は概略的又は模式的なものとする。実施形態の説明に用いる図は、実際のスケールで描かれていない場合がある。
【００１９】
表示装置１０は、バーチャルスイッチの像６を形成する光を出射する。像６は、ユーザによって空間上に認識される立体像である。像６は、空間上に認識される操作面を表す部分像７を含む。センサ６０は、部分像７の近傍に位置する物体の存在を検出する。一例として、物体とはユーザの指９０である。センサ６０によって部分像７の近傍に物体が存在することが検出されると、表示装置１０は、バーチャルスイッチが押されたことを示す信号を外部に出力する。
【００２０】
表示装置１０は、光を出射する出射面７１を有する。表示装置１０は、出射面７１から出射する光によって、立体像としての像６を形成する。なお、立体像とは、表示装置１０の出射面７１とは異なる位置にあるように認識される像をいう。立体像とは、例えば、表示装置１０の出射面７１から離れた位置に認識される２次元像も含む。つまり、立体像とは、立体的な形状として認識される像だけでなく、表示装置１０の出射面７１上とは異なる位置に認識される２次元的な形状の像も含む概念である。
【００２１】
表示装置１０は、導光板７０と、光源２１とを備える。光源２１は例えばＬＥＤ光源である。導光板７０は、透明で屈折率が比較的に高い樹脂材料で成形される。導光板７０を形成する材料は、例えばポリカーボネート樹脂（ＰＣ）、ポリメチルメタクリレート樹脂（ＰＭＭＡ）、ガラス等であってよい。
【００２２】
導光板７０は、出射面７１とは反対側の背面７２とを有する。また、導光板７０は、導光板７０の四方の端面である端面７３、端面７４、端面７５及び端面７６を有する。端面７３は、導光板７０の入光端面である。端面７３には光源２１が設けられ、光源２１からの光は、端面７３から導光板７０に入射する。端面７４は、端面７３とは反対側の面である。端面７６は、端面７５とは反対側の面である。導光板７０は、光源２１からの光を出射面７１に平行な面内で面状に広げて導く。
【００２３】
実施形態の説明において、ｘ軸、ｙ軸及びｚ軸の右手系の直交座標系を用いる場合がある。ｚ軸方向を、出射面７１に垂直な方向で定める。背面７２から出射面７１への向きをｚ軸プラス方向と定める。また、ｙ軸方向を、端面７３に垂直な方向で定める。端面７３から端面７４への向きをｙ軸プラス方向と定める。ｘ軸は、端面７５及び端面７６に垂直な方向であり、端面７５から端面７６への向きをｘ軸プラス方向と定める。なお、記載が冗長にならないよう、ｘｙ平面に平行な面のことをｘｙ面、ｙｚ平面に平行な面のことをｙｚ面、ｘｚ平面に平行な面のことをｘｚ面と呼ぶ場合がある。
【００２４】
図２は、操作入力装置２０のｙｚ平面の断面を概略的に示す。図３は、操作入力装置２０のｘｚ平面の断面を概略的に示す。
【００２５】
導光板７０の背面７２には、光収束部３０ａ、光収束部３０ｂ及び光収束部３０ｃを含む複数の光収束部３０が形成されている。光収束部３０はｘ軸方向に実質的に連続して形成されている。光収束部３０のｘ軸方向の各位置には、導光板７０によって導かれている光が入射する。光収束部３０は、光収束部３０の各位置に入射した光を、光収束部３０にそれぞれ対応する定点に実質的に収束させる。図１には、光収束部３０の一部として、光収束部３０ａ、光収束部３０ｂ及び光収束部３０ｃが特に示され、光収束部３０ａ、光収束部３０ｂ及び光収束部３０ｃのそれぞれにおいて、光収束部３０ａ、光収束部３０ｂ及び光収束部３０ｃのそれぞれから出射された複数の光線が収束する様子が示されている。
【００２６】
具体的には、光収束部３０ａは、像６上の定点ＰＡに対応する。光収束部３０ａの各位置からの光線は、定点ＰＡに収束する。したがって、光収束部３０ａからの光の波面は、定点ＰＡから発するような光の波面となる。光収束部３０ｂは、像６上の定点ＰＢに対応する。光収束部３０ｂからの各位置からの光線は、定点ＰＢに収束する。このように、任意の光収束部３０の各位置からの光線は、光収束部３０に対応する定点に実質的に収束する。これにより、任意の光収束部３０によって、対応する定点から光が発するような光の波面を提供できる。各光収束部３０が対応する定点は互いに異なり、光収束部３０にそれぞれ対応する複数の定点の集まりによって、空間上に認識される像６が形成される。このようにして、表示装置１０は空間上に立体像を投影する。
【００２７】
本実施形態において、光収束部３０のそれぞれは、ｘ軸方向に実質的に連続して形成された多数の反射面を含む。背面７２における反射面の面密度は３０％以下であることが好ましい。任意の光収束部３０がそれぞれの有する反射面の反射光は、光収束部３０に対応する定点に収束する。例えば、光収束部３０ａが有する複数の反射面のそれぞれによる複数の反射光の光線は、定点ＰＡに収束する。また、光収束部３０ｂが有する複数の反射面のそれぞれによる複数の反射光の光線は、定点ＰＢに収束する。また、光収束部３０ｃが有する複数の反射面のそれぞれによる複数の反射光の光線は、定点ＰＣに収束する。
【００２８】
ｘｙ面内において、導光板７０によって導かれて導光板７０内の各位置を通過する光束は、導光板７０内の各位置と光源２１とを結ぶ方向を中心として、所定値より小さい広がり角を持つ。光収束部３０が光源２１から離れた位置に設けられている場合、導光板７０によって導かれて光収束部３０に入射する光は、概ねｙ軸方向を中心とする広がりの小さな光になる。したがって、例えば、定点ＰＡを含みｘｚ平面に平行な面では、光収束部３０ａからの光は実質的に１つの定点に収束する。なお、本明細書において、導光板内外の点を通過する光束の広がりとは、当該光束がその点から発散する光とみなした場合の光の広がりのことをいう。また、導光板内外の点を通過する光束の広がりのことを、単に光の広がりと呼ぶ場合がある。
【００２９】
なお、光収束部３０に入射する光にｚ方向に広がりがある場合、光収束部３０からの光は、空間上の定点を含む、ｙ軸に沿う線上に収束する。しかし、実施形態を分かり易く説明することを目的として、ｘｚ面内における光の収束に注目し、光収束部３０からの光が定点に収束するとして説明する場合がある。
【００３０】
図１に示されるように、光収束部３０ａは、線１９０ａに沿って形成されている。光収束部３０ｂは、線１９０ｂに沿って形成されている。光収束部３０ｃは、線１９０ｃに沿って形成されている。ここで、線１９０ａ、線１９０ｂ及び線１９０ｃは、ｘ軸に略平行な直線である。任意の光収束部３０は、ｘ軸に略平行な直線に沿って実質的に連続的に形成される。
【００３１】
このように、光収束部３０は、出射面７１に平行な面内でそれぞれ予め定められた線に沿って形成されている。そして、光収束部３０のそれぞれは、導光板７０によって導かれている光が入射し、空間上の１つの収束点に実質的に収束する方向の出射光を出射面７１から出射させる。なお、定点が導光板７０の背面７２側の場合は、出射光は、定点から発散する方向の光となる。したがって、定点が導光板７０の背面７２側の場合、光収束部３０が有する反射面は、空間上の１つの収束点から実質的に発散する方向の出射光を出射面７１から出射させる。なお、後述するように、光収束部３０は、それぞれフレネルレンズの一部により形成されてよい。
【００３２】
センサ６０は、限定反射型の光センサである。センサ６０が物体を検出可能な検出範囲は、出射面７１側の空間上の範囲１８０内に実質的に限定されている。具体的には、センサ６０は、投光部６１と、受光部６４とを有する。範囲１８０は、投光部６１の投光光芒と受光部６４の受光光芒とが交差する領域である。
【００３３】
より具体的には、投光部６１は、出射面７１側の空間に光を投射する。投光部６１が投射する光は、物体を検出するための検出光である。投光部６１からの検出光は、出射面７１及び背面７２を通じて出射面７１側の空間に投射される。
【００３４】
受光部６４は、出射面７１側の空間上の位置からの光を、出射面７１及び背面７２を通じて受光する。投光部６１から出射面７１側の空間に投射された光の光路内の予め定められた範囲１８０内に物体が存在する場合に、受光部６４は、投光部６１から投射されて物体で反射した反射光を受光する。
【００３５】
具体的には、投光部６１は、発光部６２及び投光側レンズ６３を有する。受光部６４は、フォトセンサ６５及び受光側レンズ６６を有する。発光部６２は、検出光となる光を発光する。投光側レンズ６３は、入射した発光部６２からの光の広がりを、範囲１８０に向けて小さくする。投光側レンズ６３から出た光は、導光板７０を通過して、出射面７１側の空間に向けて検出光として出射する。なお、投光部６１が投射する光は、赤外光等の不可視光であってよい。例えば、発光部６２は赤外ＬＥＤであってよい。投光部６１が不可視光を投射することによって、ユーザに検出光が認識されることを抑制でき、バーチャルスイッチの像６のみをユーザに認識させることができる。
【００３６】
範囲１８０内に物体が存在する場合、検出光は物体で反射して、反射光が受光部６４に向かう。反射光は、導光板７０を通過して、受光側レンズ６６に入射する。受光側レンズ６６に入射した反射光は、フォトセンサ６５に向けて集光されて、フォトセンサ６５に入射する。範囲１８０内に物体が存在しない場合、検出光は物体で反射しない、又は、反射光は受光部６４に入射しない。制御部８０は、フォトセンサ６５が受光した受光量を示す信号を取得する。制御部８０は、受光量が予め定められた閾値を超える場合に、バーチャルスイッチが押されたと判断して、バーチャルスイッチが押されたことを示す信号を外部の装置に出力する。このように、制御部８０は、センサ６０によって出射面側に位置する物体が検出された場合に、物体がユーザ操作を受け付ける位置にあると判断する。
【００３７】
ここで、像６のうちの部分像７は、バーチャルスイッチの操作面を表す。部分像７は、ユーザ操作を受け付ける位置を示す像の一例である。部分像７は、範囲１８０内に形成される。このため、物体が部分像７の近傍に位置した場合に、物体の存在が検出される。なお、部分像７は、範囲１８０内に必ずしも形成される必要はなく、範囲１８０の近傍の位置に形成されればよい。このように、光収束部３０は、出射面７１側の空間上においてセンサ６０が物体を検出できる範囲１８０内及びセンサ６０が物体を検出できる範囲１８０の近傍の少なくとも一方に、部分像７を形成する。これにより、バーチャルスイッチが押されたと判断することができる。
【００３８】
表示装置１０によれば、導光板７０が透明なので、背面７２側に光学的に検出するセンサ６０を設けることができる。なお、光収束部３０が有する反射面の面密度は３０％以下であってよい。そのため、背面７２にセンサ６０を設けても、導光板７０を透過する検出光によって物体を検出できる。
【００３９】
図４は、操作入力装置２０の変形例としての操作入力装置３２０を概略的に示す。操作入力装置３２０は、操作入力装置２０が備える構成要素に加えて、ハーフミラー３００を備える。
【００４０】
ハーフミラー３００は、センサ６０と導光板７０との間に設けられる。具体的には、ハーフミラー３００は、投光部６１及び受光部６４と、導光板７０の背面７２との間に設けられる。投光部６１から投射された光は、ハーフミラー３００を透過して出射面７１側の空間に投射される。範囲１８０内又は範囲１８０の近傍の物体で反射した反射光は、ハーフミラー３００を透過して受光部６４に入射する。操作入力装置３２０によれば、ハーフミラー３００が設けられているので、センサ６０がユーザから視認されにくくなる。
【００４１】
図５は、操作入力装置２０の変形例としての操作入力装置４２０を概略的に示す。操作入力装置４２０は、操作入力装置２０が備える構成要素に加えて、遮光板４００を備える。
【００４２】
遮光板４００は、開口４０１及び開口４０２を有する。開口４０１は、投光部６１から投射される光の光軸に対応して設けられる。開口４０２は、受光部６４が受光する光の光軸に対応して設けられる。投光部６１から投射された光は、開口４０１を通過して出射面７１側の空間に投射される。物体で反射した反射光は、開口４０２を通過して受光部６４に入射する。操作入力装置３２０によれば、遮光板４００が設けられているので、センサ６０がユーザから視認されにくくなる。
【００４３】
図６は、操作入力装置２０の変形例としての操作入力装置６２０を概略的に示す。図６（ａ）は、操作入力装置６２０を概略的に示す斜視図である。図６（ｂ）は、操作入力装置６２０のｘｚ面内の断面図である。
【００４４】
操作入力装置６２０は、操作入力装置６２０が備える構成要素に加えて、シリンドリカルレンズ６００を備える。シリンドリカルレンズ６００は、導光板７０の出射面７１側に、光収束部３０に対応する位置に設けられる。複数のシリンドリカルレンズ６００のそれぞれは、ｘ軸方向に沿って延伸する。このように、複数のシリンドリカルレンズ６００のそれぞれは、導光板７０が光を導く方向に直交する方向に沿って延伸する。複数のシリンドリカルレンズ６００は、ｙ軸方向に沿って並べて設けられる。
【００４５】
１つの光収束部３０の各反射面による反射光は、当該反射面によってｘ軸方向の広がりが小さい状態で出射面７１から出射されて、当該光収束部３０に対応する１つのシリンドリカルレンズ６００に入射する。すなわち、各光収束部３０の各反射面による反射光は、反射面によってｘ軸方向の広がりが小さい状態で出射面７１から出射されて、各光収束部３０にそれぞれ対応するシリンドリカルレンズ６００にそれぞれ入射する。シリンドリカルレンズ６００は、対応する光収束部３０からの入射した反射光をｙ軸方向の広がりを小さくして出射する。このように、反射光は、シリンドリカルレンズ６００によって、広がりがより小さくなった状態で出射される。特に、シリンドリカルレンズ６００は、出射光のｙ軸方向の広がりを小さくする。これにより、ユーザがどの方向から見ても、ユーザには実質的に空間上の一点から光が発しているように認識される。そのため、シリンドリカルレンズ６００を設けることで、立体像のぼけ、ゆがみ等の影響をより抑制できる。
【００４６】
このように、シリンドリカルレンズ６００を設けることによって、出射光の広がりをより小さくすることができる。なお、シリンドリカルレンズ６００は、導光板７０に導かれて出射面７１から出射した光の広がりを制限する出射制限部の一例である。
【００４７】
図６（ｂ）に示されるように、センサ６０は、ｘｚ平面に沿う光によって、物体を検出する。すなわち、センサ６０は、出射面７１に直交し、かつ、複数のシリンドリカルレンズ６００の延伸方向に平行な面に沿う光によって、物体を検出する。例えば、投光部６１の投光光軸及び受光部６４の受光光軸は、出射面７１に直交し、かつ、複数のシリンドリカルレンズ６００の延伸方向に平行な面内に、実質的に存在する。投光部６１及び受光部６４は、１つのシリンドリカルレンズ６００に対応して設けられる。例えば、投光部６１及び受光部６４は、投光部６１、受光部６４、対応する１つのシリンドリカルレンズ６００の頂部及び物体の検出範囲１８０が、シリンドリカルレンズ６００の延伸方向に平行な面内に実質的に位置するように設けられる。そのため、シリンドリカルレンズ６００がセンサ６０の検出性能に大きな影響を与えることがない。
【００４８】
なお、操作入力装置６２０において、複数のシリンドリカルレンズ６００は、実質的に出射面７１の全体を覆っている。他の実施形態として、シリンドリカルレンズ６００は出射面７１の一部の領域に設けられ、出射面７１の一部の面がシリンドリカルレンズ６００で覆われていなくてよい。
【００４９】
図７は、操作入力装置２０の変形例としての操作入力装置７２０を概略的に示す。図７（ａ）は、操作入力装置７２０を概略的に示す斜視図である。図７（ｂ）は、操作入力装置７２０のｘｚ面内の断面図である。
【００５０】
操作入力装置７２０は、操作入力装置２０が備える構成要素に加えて、シリンドリカルレンズ７００を備える。シリンドリカルレンズ７００は、光収束部３０の１つの反射面に対応する位置に出射面７１に設けられる。シリンドリカルレンズ７００は、光収束部３０が有する複数の反射面に対応する位置にそれぞれ設けられる。複数のシリンドリカルレンズ７００のそれぞれは、ｙ軸方向に沿って延伸する。このように、複数のシリンドリカルレンズ６００のそれぞれは、導光板７０が光を導く方向に沿って延伸する。複数のシリンドリカルレンズ７００は、ｘ軸方向に沿って並べて設けられる。
【００５１】
光収束部３０が有する各反射面による反射光は、対応するシリンドリカルレンズ７００によって光の広がりがより小さくされて出射される。特に、シリンドリカルレンズ７００は、出射光のｘ軸方向の広がりを小さくする。そのため、シリンドリカルレンズ７００を設けることで、立体像のぼけ等の影響をより抑制できる。
【００５２】
このように、シリンドリカルレンズ７００を設けることによって、出射光の広がりをより小さくすることができる。なお、シリンドリカルレンズ７００は、出射光のｘ軸方向の広がりを制限する出射制限部の一例である。表示ユニットが透光性を有しなくてよい場合は、パララックスバリアによって、出射光のｘ軸方向の広がりを制限してもよい。
【００５３】
図７（ｂ）に示されるように、センサ６０は、ｙｚ平面に沿う光によって、物体を検出する。すなわち、センサ６０は、出射面７１に直交し、かつ、複数のシリンドリカルレンズ７００の延伸方向に平行な面に沿う光によって、物体を検出する。具体的には、投光部６１の投光光軸及び受光部６４の受光光軸は、出射面７１に直交し、かつ、複数のシリンドリカルレンズ７００の延伸方向に平行な面内に、実質的に存在する。投光部６１及び受光部６４は、１つのシリンドリカルレンズ７００に対応して設けられる。例えば、投光部６１及び受光部６４は、投光部６１、受光部６４、対応する１つのシリンドリカルレンズ６００の頂部及び物体の検出範囲１８０が、シリンドリカルレンズ７００の延伸方向に平行な面内に実質的に位置するように設けられる。そのため、シリンドリカルレンズ７００がセンサ６０の検出性能に大きな影響を与えることがない。
【００５４】
なお、操作入力装置７２０において、複数のシリンドリカルレンズ７００は、実質的に出射面７１の全体を覆っている。他の実施形態として、シリンドリカルレンズ７００は出射面７１の一部の領域に設けられ、出射面７１の一部の面がシリンドリカルレンズ７００で覆われていなくてよい。
【００５５】
図８は、光収束部３０の変形例としての光収束部１３０及び光収束部１３２を概略的に示す。図８（ａ）は、フレネルレンズの一部により形成された１つの光収束部１３０を概略的に示す。なお、フレネルレンズとして機能する光収束部１３０の複数の屈折面（プリズム面）の間には、隙間が設けられてよい。
【００５６】
図８（ｂ）に示す光収束部１３２は、光収束部１３０を、ｘ軸方向に沿って複数の部分１４０ａ、部分１４０ｂ、部分１４０ｃ、部分１４０ｄ、部分１４０ｅ、部分１４０ｆ、部分１４０ｇ及び部分１４０ｈに分割したものに対応する。光収束部１３２の各部分１４０のそれぞれからの光は、同一の定点に収束する。このように、光収束部を複数の部分に分割することで、いわゆるブラックマトリックス効果が生じて、像のコントラストが高まる場合がある。なお、反射面やフレネルレンズの他に、光収束部３０として回折格子を用いてもよい。
【００５７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００５８】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００５９】
６  像
７  部分像
１０  表示装置
２０  操作入力装置
２１  光源
３０  光収束部
６０  センサ
６１  投光部
６２  発光部
６３  投光側レンズ
６４  受光部
６５  フォトセンサ
６６  受光側レンズ
７０  導光板
７１  出射面
７２  背面
７３、７４、７５、７６  端面
８０  制御部
９０  指
１３０  光収束部
１３２  光収束部
１４０  部分
１８０  範囲
１９０  線
３００  ハーフミラー
３２０  操作入力装置
４００  遮光板
４０１、４０２  開口
４２０  操作入力装置
６００  シリンドリカルレンズ
６２０  操作入力装置
７００  シリンドリカルレンズ
７２０  操作入力装置
【図１】
0006558166.tif 000002
【図２】
0006558166.tif 000003
【図３】
0006558166.tif 000004
【図４】
0006558166.tif 000005
【図５】
0006558166.tif 000006
【図６】
0006558166.tif 000007
【図７】
0006558166.tif 000008
【図８】
0006558166.tif 000009